(57)【要約】【課題】情報端末に計測機器を機器登録する際に、ユーザーの負担を軽減することができる技術を提供する。【解決手段】本発明に係る情報管理システムは、計測機器と情報端末を有しており、前記計測機器は、前記計測機器を特定する識別情報を第１通信手段から送信し、少なくとも前記識別情報を送信した際には独自性を有するパターンを人が知覚可能な態様で第１出力手段から出力し、前記情報端末は、前記識別情報を第２通信手段で取得し、前記取得した識別情報を送信した前記計測機器に係る情報を表示手段に表示し、表示した前記計測機器が出力しているパターンと同一のパターンを人が知覚可能な態様で第２出力手段から出力し、前記表示した前記計測機器が出力したパターンと前記情報端末が出力したパターンとが同一である旨の入力を入力手段により受け付け、出力のパターンが同一である旨が入力された前記計測機器の前記識別情報を記憶手段に記憶する。【選択図】図１
2020160620.tif 000002
【特許請求の範囲】
【請求項１】
計測機器と情報端末とをそれぞれ一つ以上有する情報管理システムであって、
前記計測機器は、
前記計測機器を特定する識別情報を送信する第１通信手段と、
少なくとも前記識別情報が送信された際には、独自性を有するパターンを人が知覚可能な態様で出力する第１出力手段と、
前記第１通信手段及び前記第１出力手段を制御する第１制御手段と、を備えており、
前記情報端末は、
前記識別情報を受信する第２通信手段と、
前記識別情報を送信した前記計測機器に係る情報を表示する表示手段を含み、前記独自性を有するパターンと同一のパターンを人が知覚可能な態様で出力する第２出力手段と、
前記識別情報を記憶可能な記憶手段と、
ユーザーからの入力を受け付ける入力手段と、
前記第２通信手段、前記第２出力手段、前記記憶手段、及び前記入力手段を制御する第２制御手段と、を備えており、
前記第２制御手段は、
前記表示手段に表示させた前記計測機器が出力したパターンと前記第２出力手段が出力したパターンとが同一である旨の入力を、前記入力手段を介して受け付け、
前記第２出力手段からの出力と、出力のパターンが同一である旨が入力された前記計測機器の前記識別情報を、前記記憶手段に記憶させる、
ことを特徴とする、情報管理システム。
【請求項２】
前記第１通信手段は、前記計測機器が計測した計測値に係る情報を送信し、
前記第２通信手段は、前記計測機器が計測した計測値に係る情報を受信する、
ことを特徴とする、請求項１に記載の情報管理システム。
【請求項３】
前記第１通信手段は、前記独自性を有するパターンで発信と停止を繰り返す信号により識別情報を送信し、
前記第２出力手段は、前記第２通信手段が前記第１通信手段から送信された前記信号を受信しているか否かを、パターンとして出力することによって、前記独自性を有するパターンと同一のパターンを人が知覚可能な態様で出力する、
ことを特徴とする、請求項１又は２に記載の情報管理システム。
【請求項４】
前記第１通信手段は、前記独自性を有するパターンを示すパターン指示情報を送信し、
前記第２通信手段は、前記パターン指示情報を受信し、
前記第２出力手段は、前記パターン指示情報に基づいて前記独自性を有するパターンと同一のパターンを人が知覚可能な態様で出力する、
ことを特徴とする、請求項１又は２に記載の情報管理システム。
【請求項５】
前記第１出力手段には、第１音波発生手段が含まれ、
前記第１音波発生手段は、前記独自性を有するパターンの音を、可聴域の音波で出力する、
ことを特徴とする、請求項１から４のいずれか１項に記載の情報管理システム。
【請求項６】
前記第１出力手段には、第１画像表示手段が含まれ、
前記第１画像表示手段は、前記独自性を有するパターンで変動する表示を出力する、
ことを特徴とする、請求項１から５のいずれか１項に記載の情報管理システム。
【請求項７】
前記第１出力手段には、第１発光手段が含まれ、
前記第１発光手段は、前記独自性を有するパターンで明滅する光を出力する、
ことを特徴とする、請求項１から６のいずれか１項に記載の情報管理システム。
【請求項８】
前記第２出力手段には、第２音波発生手段が含まれ、
前記第２音波発生手段は、前記独自性を有するパターンと同一のパターンの音を、可聴域の音波で出力する、
ことを特徴とする、請求項１から７のいずれか１項に記載の情報管理システム。
【請求項９】
前記第２出力手段には、第２画像表示手段が含まれ、
前記第２画像表示手段は、前記独自性を有するパターンと同一のパターンで変動する表示を出力する、
ことを特徴とする、請求項１から８のいずれか１項に記載の情報管理システム。
【請求項１０】
前記第２出力手段には、第２発光手段が含まれ、
前記第２発光手段は、前記独自性を有するパターンと同一のパターンで明滅する光を出力する、
ことを特徴とする、請求項１から９のいずれか１項に記載の情報管理システム。
【請求項１１】
前記第２出力手段には、バイブレータが含まれ、
前記バイブレータは、前記独自性を有するパターンと同一のパターンで前記情報端末を振動させる、
ことを特徴とする、請求項１から１０のいずれか１項に記載の情報管理システム。
【請求項１２】
前記第１通信手段には、超音波を出力可能な発振装置が含まれており、前記第１通信手段は、前記識別情報を超音波により送信し、
前記第２通信手段には、超音波を検知可能なマイクロフォンが含まれており、前記第２通信手段は、前記識別情報を前記超音波を検知することによって受信する、
ことを特徴とする、請求項１から１１のいずれか１項に記載の情報管理システム。
【請求項１３】
前記第１通信手段及び前記第２通信手段は、互いに情報の送受信が可能な無線通信手段を含んでおり、前記識別情報を前記記憶手段に記憶させることによって、前記計測機器と前記情報端末とのペアリングを確立する、
ことを特徴とする、請求項１から１２のいずれか１項に記載の情報管理システム。
【請求項１４】
前記計測機器は、体重計、体組成計、血圧計、脈拍計、体温計、活動量計、のいずれかである、
ことを特徴とする、請求項１から１３のいずれか１項に記載の情報管理システム。
【請求項１５】
情報端末に計測機器を機器登録するための方法であって、
前記計測機器から前記計測機器を特定する識別情報を送信するステップと、
前記計測機器から、独自性を有するパターンを人が知覚可能な態様で出力するステップと、
前記情報端末において、前記識別情報を受信して取得するステップと、
前記取得した識別情報を送信した前記計測機器に係る情報を前記情報端末において、表示するステップと、
前記表示手段に情報が表示された前記計測機器が出力しているパターンと同一のパターンを、前記情報端末から、人が知覚可能な態様で出力するステップと、
前記表示手段に表示させた前記計測機器が出力したパターンと前記情報端末が出力したパターンとが同一である旨の入力を、前記情報端末において受け付けるステップと、
前記情報端末からの出力と、出力のパターンが同一である旨が入力された前記計測機器
の前記識別情報を、前記情報端末において記憶するステップと、
を有する、機器登録方法。
【発明の詳細な説明】
【技術分野】
【０００１】
本発明は、計測機器と情報端末を含む情報管理システム、及び計測機器と情報処理端末の機器登録方法に関する。
【背景技術】
【０００２】
近年、体重、血圧値、活動量などの、個人の健康に関する情報（以下、健康情報ともいう）を計測機器によって計測し、当該計測結果をスマートフォンなどの情報端末で記録、分析することで、健康管理を行うことが普及しつつある。
【０００３】
このような健康管理を行う場合には、計測機器による計測の結果を、情報端末に都度ユーザーが入力するのでは無く、計測機器と情報端末とを接続し、情報端末が自動的に計測結果を取得できるようになっていることが望ましい。具体的には、例えば、近距離無線通信などによって、計測機器からの計測情報を情報端末が受信する方法などが考えられるが、同種の複数の計測機器が使用される状況下においては、実際に計測を行った機器以外の計測機器からの情報を誤受信しないようにする必要がある。
【０００４】
このような問題を解決するためには、所定の計測機器を所定の情報端末に機器登録し、当該機器登録した計測機器からの情報のみを取得するようにすれば良い。機器登録は、例えば、個々の計測機器を識別する識別記号を情報端末に登録することによって行われるが、機器の筐体或いはこれに貼付されているシールなどに印字された識別情報を情報端末に手入力する方法が従来から採用されている。
【０００５】
このような方法では、ユーザーにとっては煩雑であり、また、誤入力のおそれもある。これに対して、特許文献１では、計測機器に掲載されたシリアル情報を、受信機器で写真撮影又はコードスキャンすることにより取得し、これによって機器登録を行うことが提案されている。
【０００６】
また、近年、Ｂｌｕｅｔｏｏｔｈ（登録商標）による無線通信を用いたペアリング（機器の相互認証）も普及してきている（例えば特許文献２）。具体的な認証方法は、一方の機器からアドバタイジングでペアリング可能状態である旨を送信し、当該情報を受信したもう一方の機器で、相手方の機器を指定することでペアリングを行うというものである。
【先行技術文献】
【特許文献】
【０００７】
【特許文献１】特表２０１６−５１２９６５号公報
【特許文献２】特開２０１７−１７０１０８号公報
【発明の概要】
【発明が解決しようとする課題】
【０００８】
しかしながら、上記の特許文献１に記載の技術においても、ユーザーが識別情報を撮影（又はスキャン）しなければならず、この点において煩雑な作業が生じるということは従来と同様である。また、上記特許文献２に記載の技術では、複数の同一種類の機器がペアリング可能状態のアドバタイズ情報を送信しているような状況下においては、ユーザーは情報端末に表示される候補のいずれがペアリングしたい対象であるのかを判断することができず、適切にペアリングすることができない。
【０００９】
上記のような従来の技術に鑑み、本発明は、情報端末に計測機器を機器登録する際に、
ユーザーの負担を軽減することができる技術を提供することを目的とする。
【課題を解決するための手段】
【００１０】
上記の課題を解決するため、本発明に係る情報管理システムは、計測機器と情報端末とをそれぞれ一つ以上有する情報管理システムであって、前記計測機器は、前記計測機器を特定する識別情報を送信する第１通信手段と、少なくとも前記識別情報が送信された際には、独自性を有するパターンを人が知覚可能な態様で出力する第１出力手段と、前記第１通信手段及び前記第１出力手段を制御する第１制御手段と、を備えており、前記情報端末は、前記識別情報を受信する第２通信手段と、前記識別情報を送信した前記計測機器に係る情報を表示する表示手段を含み、前記独自性を有するパターンと同一のパターンを人が知覚可能な態様で出力する第２出力手段と、前記識別情報を記憶可能な記憶手段と、ユーザーからの入力を受け付ける入力手段と、前記第２通信手段、前記第２出力手段、前記記憶手段、及び前記入力手段を制御する第２制御手段と、を備えており、前記第２制御手段は、前記表示手段に表示させた前記計測機器が出力したパターンと前記第２出力手段が出力したパターンとが同一である旨の入力を、前記入力手段を介して受け付け、前記第２出力手段からの出力と、出力のパターンが同一である旨が入力された前記計測機器の前記識別情報を、前記記憶手段に記憶させる、ことを特徴とする。
【００１１】
なお、上記の「独自性を有する」とは、機器毎に予め固有に定められていることのみを示すのではなく、パターン出力の時点において他の機器との識別が可能なことを意味する。このため、機器毎の個別のシードと乱数表などからその都度作成されるランダムなパターンであってもよい。また、ここでいう「パターン」とは、出力のタイミングを含んだ意味であり、周波数と同義ではない。図１１に、本明細書における「パターン」のイメージ図を示す。図１１の横軸が時間軸を表しており、黒色四角形が出力のあること、黒色四角形のない空白部分が出力のないことを示している。
【００１２】
また、上記の「計測機器」には、体重計、体組成計、血圧計、心拍計、体温計などの身体情報計測機器や、歩数計、各種フィットネス機器が備える活動量計などの活動量計測機器や、温湿度計、騒音計、照度計などの環境情報計測機器、など様々な計測機器が含まれる。また、上記の「情報端末」には、スマートフォン、タブレット端末、ノートパソコンなどの携帯情報端末の他、据置型の情報端末が含まれていてもよい。
【００１３】
また、上記の「第１通信手段」は、送信のみを行う送信手段であってもよいし、受信も可能な送受信手段であってもよい。また、上記の「第２通信手段」は、受信のみを行う受信手段であってもよいし、送信も可能な送受信手段であってもよい。
【００１４】
上記のようなシステムの構成によれば、人が知覚可能な所定パターンの出力を、計測機器と情報端末の両方で同時に行うため、ユーザーが機器登録しようとしている機器が、情報端末において機器登録対象となっている機器と一致しているか否かを容易に確認したうえで、機器登録を行うことができる。
【００１５】
また、前記第１通信手段は、前記計測機器が計測した計測値に係る情報を送信し、前記第２通信手段は、前記計測機器が計測した計測値に係る情報を受信するものであってもよい。このような構成であると、情報端末において計測機器が計測した計測値を容易に取得し、管理することができるようになる。
【００１６】
また、前記第１通信手段は、前記独自性を有するパターンで発信と停止を繰り返す信号により識別情報を送信し、前記第２出力手段は、前記第２通信手段が前記第１通信手段から送信された前記信号を受信しているか否かを、パターンとして出力することによって、前記独自性を有するパターンと同一のパターンを人が知覚可能な態様で出力するようにし
てもよい。ここで、「前記信号を受信しているか否かを、パターンとして出力する」とは、例えば、前記信号を受信しているときには出力を行い、前記信号を受信していないときには出力を停止する、ことにより、時系列的な出力の有無によってパターンを出力することをいう。なお、信号の受信の有無と出力の有無が逆に対応していてもよい。
【００１７】
また、前記第１通信手段は、前記独自性を有するパターンを示すパターン指示情報を送信し、前記第２通信手段は、前記パターン指示情報を受信し、前記第２出力手段は、前記パターン指示情報に基づいて前記独自性を有するパターンと同一のパターンを人が知覚可能な態様で出力するものであってもよい。
【００１８】
上記のような構成であると、情報端末において識別情報に関連づけられたパターンの情報を保持しておく必要がなく、計測機器が識別情報の送信の都度、独自のパターンを生成するような場合であっても、情報端末において計測機器と同一のパターンの出力を行うことが可能になる。
【００１９】
また、前記第１出力手段には、第１音波発生手段が含まれ、前記第１音波発生手段は、前記独自性を有するパターンの音を、可聴域の音波で出力するものであってもよい。このような構成であると、ユーザーは前記計測機器を視認しなくとも、音で計測機器の出力するパターンを確認できるため、情報端末のみに集中して機器登録の作業を行うことができ、ユーザーの煩雑さを軽減することができる。
【００２０】
また、前記第１出力手段には、第１画像表示手段が含まれ、前記第１画像表示手段は、前記独自性を有するパターンで変動する表示を出力するものであってもよい。このような構成であると、ユーザーは計測機器と情報端末の両方を視認することによって機器登録の作業を行うことが出来るため、音声を発生させることが適切でない状況においても、機器登録を行うことができる。
【００２１】
また、前記第１出力手段には、第１発光手段が含まれ、前記第１発光手段は、前記独自性を有するパターンで明滅する光を出力するものであってもよい。なお、ここでいう明滅は光の点灯と消灯の変化のみを意味するのではなく、光の明暗が変化することも含む。このような構成であると、ユーザーは計測機器を注視せずとも光の明滅が視野に入る状態であれば、計測機器の出力するパターンを認識することができるため、情報端末に視線を集中して作業を行うことができるうえ、音声を発生させることが適切でない状況においても、機器登録を行うことができる。
【００２２】
また、前記第２出力手段には、第２音波発生手段が含まれ、前記第２音波発生手段は、前記独自性を有するパターンと同一のパターンの音を、可聴域の音波で出力するものであってもよい。このような構成であると、ユーザーは情報端末を視認しないでも、情報端末の出力するパターンの確認を行うことができる。
【００２３】
また、前記第２出力手段には、第２画像表示手段が含まれ、前記第２画像表示手段は、前記独自性を有するパターンと同一のパターンで変動する表示を出力するものであってもよい。このような構成であれば、ユーザーは機器登録のために情報端末の表示手段を確認するのと同時に、情報端末の出力パターンの確認を行うことができる。また、音声を発生させることが適切でない状況においても、音を発生させることなく機器登録を行うことができる。
【００２４】
また、前記第２出力手段には、第２発光手段が含まれ、前記第２発光手段は、前記独自性を有するパターンと同一のパターンで明滅する光を出力するものであってもよい。このような構成であれば、機器登録作業のための情報端末の表示手段とパターン出力のための
表示手段を分けることができるため、機器登録のための表示手段の表示内容を煩雑にさせることなく、視覚的にパターンの確認を行うことができる。
【００２５】
また、前記第２出力手段には、バイブレータが含まれ、前記バイブレータは、前記独自性を有するパターンと同一のパターンで前記情報端末を振動させるものであってもよい。このような構成であると、音声を発生させることが不適切な状況においても、ユーザーは情報端末を視認することなく、情報端末からの出力パターンを確認することができる。
【００２６】
また、前記第１通信手段には、超音波を出力可能な発振装置が含まれており、前記第１通信手段は、前記識別情報を超音波により送信し、前記第２通信手段には、超音波を検知可能なマイクロフォンが含まれており、前記第２通信手段は、前記超音波を検知することによって前記識別情報を受信するようにしてもよい。このような構成によると、機器登録を行う対象の計測機器の探索を超音波通信で行うことができる。
【００２７】
また、前記第１通信手段及び前記第２通信手段は、互いに情報の送受信が可能な無線通信手段を含んでおり、前記識別情報を前記記憶手段に記憶させることによって、前記計測機器と前記情報端末とのペアリングを確立してもよい。
【００２８】
また、本発明に係る機器登録方法は、情報端末に計測機器を機器登録するための方法であって、前記計測機器から前記計測機器を特定する識別情報を送信するステップと、前記計測機器から、独自性を有するパターンを人が知覚可能な態様で出力するステップと、前記情報端末において、前記識別情報を受信して取得するステップと、前記取得した識別情報を送信した前記計測機器に係る情報を前記情報端末において、表示するステップと、前記表示手段に情報が表示された前記計測機器が出力しているパターンと同一のパターンを、前記情報端末から、人が知覚可能な態様で出力するステップと、前記表示手段に表示させた前記計測機器が出力したパターンと前記情報端末が出力したパターンとが同一である旨の入力を、前記情報端末において受け付けるステップと、前記情報端末からの出力と、出力のパターンが同一である旨が入力された前記計測機器の前記識別情報を、前記情報端末において記憶するステップと、を有する。
【発明の効果】
【００２９】
本発明によれば、情報端末に計測機器を機器登録する際に、ユーザーの負担を軽減することができる。
【図面の簡単な説明】
【００３０】
【図１】図１は、実施形態１に係る情報管理システムの構成例の概略を説明するブロック図である。
【図２】図２は、実施形態１に係る情報管理システムにおける、血圧計の表示画面の一例を示す図である。
【図３】図３は、実施形態１に係る情報管理システムにおける機器登録の処理の流れを示すフローチャートである。
【図４】図４Ａは、実施形態１に係る情報管理システムにおける、スマートフォンの表示の変化の一例を示す第１の図である。図４Ｂは、実施形態１に係る情報管理システムにおける、スマートフォンの表示の変化の一例を示す第２の図である。
【図５】図５は、実施形態１に係る情報管理システムにおける、スマートフォンの画面表示の一例を示す図である。
【図６】図６は、実施形態２に係る情報管理システムの構成例を示す図である。
【図７】図７は、実施形態２に係る情報管理システムにおける機器登録の処理の流れを示すフローチャートである。
【図８】図８は、実施形態２に係る情報管理システムにおける、スマートフォンの画面表示の一例を示す図である。
【図９】図９は、実施形態３に係る情報管理システムの構成例の概略を説明するブロック図である。
【図１０】図１０は、実施形態３に係る情報管理システムにおけるペアリングの処理の流れを示すフローチャートである。
【図１１】図１１は、本明細書におけるパターンのイメージを示す説明図である。
【発明を実施するための形態】
【００３１】
以下、本発明の具体的な実施形態について図面に基づいて説明する。
【００３２】
＜実施形態１＞
まず図１から図５に基づいて、本発明の実施形態の一例について説明する。ただし、この実施形態に記載されている構成部品の寸法、材質、形状、その相対配置などは、特に記載がない限りは、この発明の範囲をそれらのみに限定する趣旨のものではない。
【００３３】
（システム構成）
図１は本実施形態に係る健康情報管理システム１の構成例を示す概略図である。図１に示すように、健康情報管理システム１は、計測機器の一例としての血圧計１０と、情報端末の一例としてのスマートフォン２０を含んでいる。スマートフォン２０は、後述の様に血圧計１０を含む計測機器を機器登録することにより、以後当該機器登録した機器の計測情報を識別して取得することができるようになる。
【００３４】
（計測機器）
本実施形態における血圧計１０は、いわゆるオシロメトリック法によりユーザーの血圧を測定する計測機器であり、図１に示すように、センサ部１１０と、表示部１２０と、計測機器スピーカー１３０と、入力部１４０と、計測機器制御部１５０とを含んで構成される。
【００３５】
センサ部１１０は、血圧計１０のカフ部分に配置される圧力センサを備えており、適正なカフ圧下でユーザーの血管から脈波を検出する。本実施形態における血圧計１０では、センサ部が検出する脈波に基づいて、最高血圧、最低血圧に加えて脈拍も計測可能である。以下、最高血圧、最低血圧、脈拍の値をまとめて計測値という。
【００３６】
表示部１２０は、例えば液晶ディスプレイなどによって形成され、算出された計測値を表示する他、機器の作動状態なども表示する。本実施形態においては、表示部１２０が第１画像表示手段に該当する。
【００３７】
計測機器スピーカー１３０は、音波を発生可能な出力手段であり、可聴域の音波（以下、音声とも）だけでなく、超音波を出力することもできる。後述するように、計測機器制御部１５０の制御によって、計測機器スピーカー１３０から、独自性を有するパターンで間欠的に超音波を発生させることで、血圧計１０を特定する識別情報を発信することができる。即ち、本実施形態においては、計測機器スピーカー１３０が、第１通信手段と、第１音波発生手段（第１出力手段）とを兼ねる構成となっている。
【００３８】
入力部１４０は、ユーザーからの入力を受け付けるボタン、タッチパネルディスプレイなどの入力手段であり、ユーザーから、電源のＯＮ／ＯＦＦ、計測の開始、モードの変更、項目の選択などの各種操作を受け付ける。
【００３９】
計測機器制御部１５０は、血圧計１０の制御を司る手段であり、例えば、ＣＰＵ（Ｃｅｎｔｒａｌ Ｐｒｏｃｅｓｓｉｎｇ Ｕｎｉｔ）などを含んで構成される。計測機器制御部
１５０は、入力部１４０を介してユーザーから機器情報登録モードの実行を受け付けると、計測機器スピーカー１３０から独自性を有するパターンで間欠的に超音波を発生させる。当該パターンで出力される超音波には血圧計１０の識別情報が含まれる。なお、識別情報は、例えば図示しない記憶手段等に保持されるようにしておくとよい。
【００４０】
また、計測機器制御部１５０は、機器情報登録モードの実行中には、超音波の出力と同じ出力パターンで、計測機器スピーカー１３０から音声を発生させる。具体的には、同一のパターンで信号音を発生させるようにすればよい。
【００４１】
また、ユーザーの選択により、音声の発生に代えて、或いはこれと同時に、表示部１２０に前記パターンと同じパターンで変動する表示を出力させてもよい。例えば、「Ｐ」マークを前記パターンで表示させたり、消したりしてもよい。図２に、ペアリングモード時の表示部１２０の表示例を示す。
【００４２】
また、さらに上記の音声の発生、表示部１２０の表示の変動に代えて、或いはこれらと同時に、図示しないＬＥＤライトを明滅させるようにしてもよい。なお、この場合にはＬＥＤライトが第１発光手段に該当する。
【００４３】
なお、本実施形態においては、計測機器制御部１５０は第１制御手段に相当し、上記の制御の他、入力部１４０を介してユーザーの操作に応じた処理を実行するように血圧計１０の各構成要素を制御する。
【００４４】
（情報端末）
情報端末の一例であるスマートフォン２０は、マイクロフォン２１０、タッチパネルディスプレイ２２０、記憶部２３０、情報端末制御部２４０、情報端末スピーカー２５０を含んで構成される。
【００４５】
マイクロフォン２１０は、入力手段の一つであり、超音波を含む音波を検知する。
【００４６】
タッチパネルディスプレイ２２０は、後述するように、マイクロフォン２１０が検知した超音波から血圧計１０の識別情報を取得した場合には、当該識別情報を発信した血圧計１０の情報を前記情報端末の表示手段に表示する。また、識別情報を発信した血圧計１０が出力する音波のパターンと同一のパターンで変動する表示を出力する。その他、各種の入力用画像を介してユーザーからの操作を受け付ける。即ち、本実施形態においては、タッチパネルディスプレイ２２０は第２画像表示手段（第２出力手段）と、入力手段とを兼ねる構成となっている。
【００４７】
記憶部２３０は、ＲＡＭ（Ｒａｎｄｏｍ Ａｃｃｅｓｓ Ｍｅｍｏｒｙ）などの主記憶装置の他、例えばフラッシュメモリなどの長期記憶媒体を含んで構成され、機器登録の対象となる血圧計１０を含む計測機器の識別情報、アプリケーションプログラム、計測値、などの各種の情報を記憶する。
【００４８】
情報端末スピーカー２５０は、本発明における第２音波発生手段に該当し、血圧計１０が機器登録モードにおいて出力するパターンと同じパターンで音声を出力する他、各種の音声を出力する。
【００４９】
情報端末制御部２４０はスマートフォンの制御を司る手段であり、例えばＣＰＵなどを含んで構成され、記憶部２３０に格納された各種プログラムを実行することにより、これらに応じた機能を発揮する。本実施形態においては、情報端末制御部２４０が第２制御手段に該当する。
【００５０】
情報端末制御部２４０は、例えば、マイクロフォン２１０が検知した超音波から血圧計１０を特定する識別情報を取得する。また、識別情報を取得した血圧計１０の情報をタッチパネルディスプレイ２２０に表示させるとともに、タッチパネルディスプレイ２２０に、当該識別情報を取得した血圧計１０の出力と同じパターンで変動する表示を出力する。なお、表示の変動に代えて、或いはこれと併せて、情報端末スピーカー２５０から同一のパターンで音声を出力させる、ＬＥＤライト（図示せず）を明滅させる、バイブレータを振動させる、などの他の出力を行うようにしてもよい。
【００５１】
（情報端末に計測機器を機器登録する方法）
次に、スマートフォン２０に血圧計１０を機器登録する方法について説明する。図３は、血圧計１０を、スマートフォン２０に機器登録する際の処理の手順を示すフローチャートである。
【００５２】
図３に示すように、ユーザーはまず、スマートフォン２０のタッチパネルディスプレイ２２０及び情報端末制御部２４０を介して、スマートフォン２０を計測情報が受信可能な状態で待機させる（ステップＳ１０１）。具体的には、例えば、健康情報管理のためのアプリケーションプログラムを実行するようにしてもよく、情報端末制御部２４０において、当該アプリケーションプログラムがバックグラウンドで常に実行されるようになっていてもよい。
【００５３】
次に、ユーザーは血圧計１０の表示部１２０及び計測機器制御部１５０を介して、血圧計１０を機器登録モードにする（ステップＳ１０２）。機器登録モードになると、計測機器制御部１５０は計測機器スピーカー１３０から、独自性を有するパターンで超音波を出力させる（ステップＳ１０３）。なお、前述のように、当該超音波は血圧計１０を特定可能な識別情報を含んで出力される。
【００５４】
さらに、計測機器制御部１５０は計測機器スピーカー１３０から、前記パターンに連動する拍子で信号音を発生させる（ステップＳ１０４）。なお、この際、計測機器制御部１５０は、表示部に前記パターンと同じパターンで変動する表示を出力させてもよい。さらに、図示しないＬＥＤライトを、前記パターンに合わせて明滅させてもよい。
【００５５】
次に、情報待ち受け状態にあるスマートフォン２０のマイクロフォン２１０によって、ステップＳ１０３で出力された超音波が検知される（ステップＳ１０５）。続けて、情報端末制御部２４０は、ステップＳ１０５で検知した超音波に含まれる血圧計１０の識別情報を取得する（ステップＳ１０６）。
【００５６】
そして、情報端末制御部２４０は、識別情報を取得した血圧計１０に係る情報を、タッチパネルディスプレイ２２０に表示し（ステップＳ１０７）、血圧計１０から出力されている音声（及び、その他の出力）のパターンと同じパターンで変動する画像表示をタッチパネルディスプレイ２２０に出力する（ステップＳ１０８）。なお、この際、情報端末制御部２４０は情報端末スピーカー２５０から前記パターンと同じパターンで音声を出力させてもよいし、図示しないその他の出力手段から前記パターンと同じパターンの出力を発生させてもよい。具体的には、例えばＬＥＤライトを前記パターンと同じパターンで明滅させてもよいし、バイブレータを前記パターンと同じパターンで振動させてもよい。図４に、タッチパネルディスプレイ２２０にパターンを示すアニメーションの変動を表示する場合の一例を示す。図４Ａは出力がないタイミングの表示画面例を示す図であり、図４Ｂは出力があるタイミングの表示画面例を示す図であり、タッチパネルディスプレイ２２０のＬＥＤライトも同時に点灯していることを示している。
【００５７】
さらに、情報端末制御部２４０は、血圧計１０から出力されている音声の出力パターンと、スマートフォン２０のタッチパネルディスプレイ２２０の表示の変動（及び、その他の出力）のパターンが同一である場合には、その旨を入力するようにユーザーに求める（ステップＳ１０９）。具体的には、タッチパネルディスプレイ２２０にパターンが一致していることの入力を行う操作ボタンを表示させるなどすればよい。図５に、ステップＳ１０９でユーザーの入力を受け付けるための表示画面例を示す。
【００５８】
図５に示す画面のメッセージ欄には「現在機器登録受付可能な機器が表示されています。表示されている機器と本機の出力パターンが同じであれば、『ＯＫ』を選択してください。この機器を本機に登録します。」と表示されている。即ち、血圧計１０から出力されている出力パターンと、スマートフォン２０から出力されている出力パターンが同一であることが入力されれば、血圧計１０をスマートフォン２０に機器登録する旨が示されている。
【００５９】
ステップＳ１０９で、血圧計１０から出力されている音声の出力パターンと、スマートフォン２０のタッチパネルディスプレイ２２０の表示の変動のパターンが同一である旨の入力を受けた後、情報端末制御部２４０は、ステップＳ１０６で取得した識別情報を、記憶部２３０に記憶させ（ステップＳ１１０）、一連の処理が終了する。
【００６０】
ステップＳ１１０における識別情報の記憶によって、スマートフォン２０に特定の血圧計１０が識別可能に登録され、機器登録が完了する。このような機器登録が行われた後は、情報端末制御部２４０は、計測値としては、記憶部２３０に記憶された識別情報を送信する血圧計１０から送信される計測値のみを取得することができる。
【００６１】
なお、上記の一連の流れにおいて、ステップＳ１０３の処理とステップＳ１０４の処理は、順序が逆に実行されてもよいし、同時に実行されてもよい。
【００６２】
上記のようなシステムの構成によれば、計測機器を情報端末に機器登録するためにユーザーが行う作業は、計測機器と情報端末を機器登録モードにすることと、計測機器から出力されるパターンと、情報端末から出力されるパターンが同一であるか否かを確認するだけでよく、機器登録のためのユーザー負担は極めて少なくて済む。また、パターンは人が知覚可能な方法で出力されるため、情報端末から機器登録しようとしている計測機器が、本当にユーザーの機器登録したい機器であるのかということを、ユーザーにおいて判断することが可能であり、ユーザーの不安感を取り除くことができる。さらに、識別情報の送信をスピーカーから出力する超音波によって行うため、近距離無線通信のための装置を別途搭載する必要がなく、システムを構成する機器のコストを低減することができる。
【００６３】
＜実施形態２＞
次に、図６から図８に基づいて、本発明の他の実施形態について説明する。以下では、実施形態１と同じ構成要素については同一の符号を付し、詳細な説明は省略する。
【００６４】
図６は本実施形態に係る健康情報管理システム２の構成例を示す概略図である。図６に示すように、健康情報管理システム２は、複数の血圧計１０ａ、１０ｂ、１０ｃ及びスマートフォン２０を含んでいる。なお、それぞれの血圧計１０ａ、１０ｂ、１０ｃ、及び、スマートフォン２０の構成要素は、実施形態１の場合と同様であるため、説明は省略する。
【００６５】
本実施形態における健康情報管理システム２は、実施形態１とは異なり、複数の血圧計を有しているため、ユーザーが機器登録したい血圧計とは異なる血圧計の計測情報を、スマートフォン２０で受信するおそれがある。このため、血圧計１０とスマートフォン２０
とをペアリングする際の処理において、実施形態１とは異なる手順を実行する。
【００６６】
図７は、本実施形態の健康情報管理システム２において、血圧計１０をスマートフォン２０に機器登録する際の処理の手順を示すフローチャートである。ステップＳ２０１からステップＳ２０６までの処理は、実施形態１のステップＳ１０１からステップＳ１０６までと同様である。即ち、ユーザーは、ステップＳ２０１においてスマートフォン２０を待機状態にし、ステップＳ２０２において血圧計１０を機器登録モードにする。そして、計測機器制御部１５０は、ステップＳ２０３において血圧計１０から独自性のあるパターンで超音波を発生させ、ステップＳ２０４において血圧計１０から前記パターンと同じパターンを有する知覚可能な出力を発生させる。さらに、情報端末制御部２４０は、ステップＳ２０５においてマイクロフォン２１０で超音波を検知し、ステップＳ２０６において検知した超音波に含まれる識別情報を取得する。
【００６７】
次に、情報端末制御部２４０は、ステップＳ２０６において取得した識別情報を発信した血圧計１０の一覧をタッチパネルディスプレイ２２０に表示させ、ユーザーに一の機器を選択するように求める（ステップＳ２０７）。図８は、複数の血圧計１０から識別情報を取得した場合に、その一覧を表示するタッチパネルディスプレイ２２０の表示画面の一例である。図８に示すように、複数の計測機器から識別情報を取得した場合には、その識別情報を伝達した超音波の音圧の強い順に機器を一覧表示してもよい。音圧の強さと、超音波の出力元までの距離は相関関係にあるため、音圧が強いほど近くにある機器であると推測ができ、機器を選択する際の参考とすることができる。
【００６８】
ユーザーによって一覧表示された血圧計１０のなかから任意の一つの機器を選択されると（ステップＳ２０８）、情報端末制御部２４０は、タッチパネルディスプレイ２２０に当該選択された機器に係る情報を表示するとともに、当該血圧計１０から出力されているパターンと同じパターンで変動する画像表示をタッチパネルディスプレイ２２０に出力する（ステップＳ２０９）。ここで、タッチパネルディスプレイ２２０に出力される表示の変動は、実施形態１において例示したものと同様のものでもよい。
【００６９】
次に、情報端末制御部２４０は、ステップＳ２０９でスマートフォン２０に出力されたパターンが、ステップＳ２０８で選択された血圧計１０の出力パターンと同一であるか否かを入力するようにユーザーに求める（ステップＳ２１０）。この場合、例えば図５と同様の表示画面例によって入力を求めるようにしてもよい。ステップＳ２１０で、パターンが同一でない旨の入力があった場合にはステップＳ２０８に戻り、以降の処理を繰り返す。一方、ステップＳ２１０で、パターンが同一である旨の入力があった場合には、情報端末制御部２４０は当該血圧計１０の識別情報を記憶部２３０に記憶させ（ステップＳ２１１）、一連の処理を終了する。
【００７０】
ステップＳ２１１における識別情報の記憶によって、スマートフォン２０に特定の血圧計１０が識別可能に登録され、機器登録が完了する。このような機器登録が行われた後は、情報端末制御部２４０は、計測値としては、記憶部２３０に記憶された識別情報を送信する血圧計１０から送信される計測値のみを取得することができる。
【００７１】
本実施形態の様な構成によれば、同種の複数の計測機器が使用される情報管理システムにおいて、同時に機器登録モードになっている計測機器があった場合でも、知覚可能なパターンに基づいて一つの計測機器を選択することができるため、誤った計測機器を機器登録してしまうことを防止することができる。
【００７２】
（変形例）
なお、上記の実施形態２において、ステップＳ２０７では、スマートフォン２０が検知
した超音波の音圧が強い順に血圧計１０を一覧表示するようにしていたが、必ずしもこのようにする必要はなく、例えば、識別情報を取得した順に一覧表示してもよい。また、必ず一覧表示をさせる必要も無く、例えば検知した超音波の音圧が最も強い血圧計１０のみを、第１の候補として表示するとともに、当該血圧計１０の出力パターンと同一のパターンをスマートフォン２０から出力してもよい。この場合、図５に示すような表示画面で、ユーザーにパターンが同一か否かの入力を求め、「キャンセル」が選択されるなど同一でない旨の入力があった場合には、２番目に音圧が強かった血圧計１０を第２の候補として表示するようにしてもよい。
【００７３】
＜実施形態３＞
なお、上記の実施形態１及び２では、識別情報の伝達は超音波を用いて実行されていたが、超音波を用いないで識別情報の伝達を行い、機器登録することも可能である。図９及び図１０に基づいて、本発明のさらに他の実施形態について説明する。以下では、実施形態１と同じ構成要素については同一の符号を付し、詳細な説明は省略する。図９は本実施形態に係る健康情報管理システム３の構成例を示す概略図である。図９に示すように、健康情報管理システム３は、計測機器の一例としての血圧計３０と、情報端末の一例としてのスマートフォン４０を含んでいる。
【００７４】
血圧計３０は、実施形態１に係る血圧計１０と比べ、計測機器アンテナ３６０を備えている点において異なっており、その他の点については血圧計１０と同様である。また、スマートフォン４０も、情報端末アンテナ４６０を備えている点において実施形態１のスマートフォン２０と異なっており、その他の点はスマートフォン２０と同様である。
【００７５】
計測機器アンテナ３６０、情報端末アンテナ４６０はそれぞれ、Ｂｌｕｅｔｏｏｔｈ等の双方向無線通信を行うための通信アンテナであり、血圧計３０とスマートフォン４０とはそれぞれのアンテナを介して無線通信が可能なように構成されている。このような構成であることにより、血圧計３０とスマートフォン４０とは双方向に無線通信を行い、ペアリングを実施することができる。
【００７６】
具体的には、本実施形態における血圧計３０とスマートフォン４０は、以下の方法によって、スマートフォン４０に機器登録する血圧計３０を決定した後に、ペアリングを確立する。図１０は、本実施形態の健康情報管理システム３において、血圧計３０をスマートフォン４０に機器登録する際の処理の手順を示すフローチャートである。
【００７７】
図１０に示すように、ユーザーはまず、スマートフォン４０のタッチパネルディスプレイ２２０及び情報端末制御部２４０を介して、スマートフォン４０を計測情報が受信可能な状態で待機させる（ステップＳ３０１）。
【００７８】
次に、ユーザーは血圧計３０の表示部１２０及び計測機器制御部１５０を介して、血圧計３０を機器登録モードにする（ステップＳ３０２）。機器登録モードになると、計測機器制御部１５０は計測機器アンテナ３６０を介して、血圧計３０を特定可能な識別情報及び当該識別情報に関連付けられた、独自性を有するパターンを示す情報（以下、パターン指示情報ともいう）を送信する（ステップＳ３０３）。即ち、本実施形態においては、計測機器アンテナ３６０が第１通信手段に相当する。
【００７９】
さらに、計測機器制御部１５０は計測機器スピーカー１３０から、前記独自性を有するパターンで音声を発生させる（ステップＳ３０４）。なお、この際、計測機器制御部１５０は、表示部に前記パターンと同じパターンで変動する表示を出力させてもよい。さらに、図示しないＬＥＤライトを、前記パターンに合わせて明滅させてもよい。
【００８０】
次に、情報待ち受け状態にあるスマートフォン４０の情報端末アンテナ４６０によって、識別情報及びパターン指示情報を受信することによって血圧計３０の識別情報を取得する（ステップＳ３０５）。即ち、本実施形態においては、情報端末アンテナ４６０が第２通信手段に相当する。
【００８１】
そして、情報端末制御部２４０は、識別情報を取得した血圧計３０に係る情報を、タッチパネルディスプレイ２２０に表示し（ステップＳ３０６）、前記パターン指示情報が示すパターンで変動する画像表示をタッチパネルディスプレイ２２０に出力する（ステップＳ３０７）。なお、前記血圧計３０もパターン指示情報が示すパターンと同一のパターンで、計測機器スピーカー１３０から音声を出力しているため、当該音声の出力とタッチパネルディスプレイ２２０に表示される画像の変動とは、同一のパターンを示すことになる。
【００８２】
さらに、情報端末制御部２４０は、血圧計３０から出力されている音声の出力パターンと、スマートフォン４０のタッチパネルディスプレイ２２０の表示の変動パターンが同一である場合には、その旨を入力するようにユーザーに求める（ステップＳ３０８）。具体的には、タッチパネルディスプレイ２２０にパターンが一致していることの入力を行う操作ボタンを表示させるなどすればよい。
【００８３】
ステップＳ３０８で、血圧計３０から出力されている音声の出力パターンと、スマートフォン４０のタッチパネルディスプレイ２２０の表示の変動パターンが同一である旨の入力を受けた後、情報端末制御部２４０は、ステップＳ３０５で取得した識別情報を、記憶部２３０に記憶させ（ステップＳ３０９）、一連の処理が終了する。なお、上記の一連の流れにおいて、ステップＳ３０３の処理とステップＳ３０４の処理は、順序が逆に実行されてもよいし、同時に実行されてもよい。
【００８４】
ステップＳ３０９における識別情報の記憶によって、血圧計３０とスマートフォン４０のペアリングが成立する。このようにして血圧計３０とスマートフォン４０との間でペアリングが成立した後は、計測機器アンテナ３６０及び情報端末アンテナ４６０を介した無線通信により、両者の間での双方向の情報通信が可能になる。
【００８５】
本実施携帯の様な構成によれば、人が知覚可能なパターンの出力により、ペアリングしようとしている対象機器を確認したうえでペアリング相手を決定することができるため、計測機器と情報端末とのペアリングを正確に行うことができる。
【００８６】
＜その他＞
上記の各例の説明は、本発明を例示的に説明するものに過ぎず、本発明は上記の具体的な形態には限定されない。本発明は、その技術的思想の範囲内で種々の変形及び組み合わせが可能である。
【００８７】
例えば、計測機器は血圧計以外に、体重計、体組成計、脈拍計、体温計などの他の身体情報測定機器であってもよい。また、歩数計や、トレッドミル、エアロバイク（登録商標）などにおける運動量を計測する活動量計であってもよい。この場合には、表示部に表示させる計測値は、歩数、走行（歩行）距離などであってもよいし、推定消費熱量などの値であってもよいし、これらの両方を表示するようにしてもよい。また、計測機器は、室温、湿度、騒音、照度などの環境情報を測定する環境センサ機器であってもよい。なお、上記の例ではシステムを構成する計測機器は血圧計１種類のみであったが、複数の異なる計測機器を含んでシステムが構成されてもよい。
【００８８】
また、情報端末はスマートフォンにかぎらず、タブレット端末などの他の携帯情報端末
であってもよいし、据置型の端末であってもよい。
【００８９】
また、上記の各実施形態では、機器登録モード時に識別情報の送信と併せて独自性を有するパターンが出力されていたが、計測機器におけるパターン出力をこれに限る必要はない。例えば、識別情報が送信された時だけでなく、送信後一定時間が経過してからでも、ユーザーの指示などにより再度の出力が可能になっていてもよい。
【００９０】
また、上記の各実施形態において、音声によるパターンの出力は信号音としていたが、音声の出力パターンは信号音に限らず、楽曲、文字列（言葉）で、表現されていてもよい。即ち、計測機器から発せられる楽曲等と、情報端末から発せられる楽曲等が一致している場合に、情報端末に計測機器を機器登録するようにしてもよい。
【００９１】
また、例えば、上記実施形態３において、パターン指示情報を受信することによって情報端末が出力パターンを生成する場合には、計測機器とスマートフォンとで、出力されるパターンに時間的なずれが生じることも考えられる。このため、パターンの１周期あたりの長さを長めにする、パターンを複雑にする（例えば可聴音を用いて特定のメロディーを再生するなど）、色情報を用いて互いに特定の色を出力する、などの方法によって、時間的なずれの影響を抑制するようにしてもよい。即ち、ずれが生じたとしても、（例えば他の機器が出力する）異なるパターンとの差異が明確になるようにしておくことで、同一パターンの時間的なずれと、異なるパターンとのパターン自体のずれを識別可能にしてもよい。或いは、パターン指示情報中に、例えば時刻情報を含めるなどして、計測機器側と情報端末側での時間的なずれを無くすようにしてもよい。
【００９２】
また、上記実施形態３に係る血圧計３０及びスマートフォン４０を上記実施形態２における情報管理システムに適用しても構わない。また、上記実施形態３における無線通信は、Ｂｌｕｅｔｏｏｔｈ通信に限らず、赤外線通信など他の無線通信によって行われるのであってもよい。
【符号の説明】
【００９３】
１、２、３・・・情報管理システム
１０、３０・・・血圧計
１１０・・・センサ部
１２０・・・表示部
１３０・・・計測機器スピーカー
１４０・・・入力部
１５０・・・計測機器制御部
２０、４０・・・スマートフォン
２１０・・・マイクロフォン
２２０・・・タッチパネルディスプレイ
２３０・・・記憶部
２４０・・・情報端末制御部
２５０・・・情報端末スピーカー
３６０・・・計測機器アンテナ
４６０・・・情報端末アンテナ
【図１】
2020160620.tif 000003
【図２】
2020160620.tif 000004
【図３】
2020160620.tif 000005
【図４】
2020160620.tif 000006
【図５】
2020160620.tif 000007
【図６】
2020160620.tif 000008
【図７】
2020160620.tif 000009
【図８】
2020160620.tif 000010
【図９】
2020160620.tif 000011
【図１０】
2020160620.tif 000012
【図１１】
2020160620.tif 000013